(57)【要約】【課題】通話コストの低減が可能な電話システムを提供する。【解決手段】配下のＩＰ電話機２０Ａ〜２０Ｅの呼制御を行うＳＩＰサーバ１０と、ＩＰ電話機２０Ａ〜２０Ｅと携帯電話網との間の通信を中継する端末３０Ａ〜３０Ｃ，４０Ａ〜４０Ｃとを備える電話システムに、携帯電話網に発信するための電話番号に端末３０Ａ〜３０Ｃ，４０Ａ〜４０Ｃのいずれかが関連付けられて登録されるデータテーブルを記憶する記憶部を設け、ＩＰ電話機２０Ａ〜２０Ｅから発信先の電話番号が入力されたときに、その電話番号に関連付けられてデータテーブルに登録されている端末３０Ａ〜３０Ｃ，４０Ａ〜４０Ｃを選択し、選択した端末３０Ａ〜３０Ｃ，４０Ａ〜４０Ｃから電話番号を発信先として携帯電話網に対して発信させる。【選択図】図１
2010041149.tif 000002
【特許請求の範囲】
【請求項１】
配下の電話機の呼制御を行う制御部を備えると共に、前記配下の電話機と携帯電話網との間の通信を中継する複数の中継用携帯電話機が接続される交換機であって、
前記携帯電話網に発信するための電話番号に前記中継用携帯電話機のいずれかが関連付けられて登録されるデータテーブルを記憶する記憶部と、
前記交換機の配下の電話機から前記電話番号が入力されたときに、該電話番号に関連付けられて前記データテーブルに登録されている前記中継用携帯電話機を選択し、該選択した中継用携帯電話機から該電話番号を発信先として前記携帯電話網に対して発信させる中継端末選択手段と、
を備えることを特徴とする交換機。
【請求項２】
前記電話番号に関連付けられて前記データテーブルに登録されている前記中継用携帯電話機と該電話番号が割り当てられた携帯電話機とは、契約している携帯電話事業者が同じであることを特徴とする請求項１に記載の交換機。
【請求項３】
携帯電話網に対する発信の結果得られる応答音から発信先の携帯電話機の契約している携帯電話事業者を特定する事業者特定手段と、
前記中継端末選択手段が前記中継用携帯電話機に発信させた結果前記事業者特定手段で特定された携帯電話事業者の情報に基づいて前記データテーブルを更新するデータテーブル更新手段と、
を備える請求項２に記載の交換機。
【請求項４】
携帯電話網に対する発信の結果得られる応答音から発信先の携帯電話機の契約している携帯電話事業者を特定する事業者特定手段と、
前記交換機の配下の電話機から前記データテーブルに未登録の電話番号が入力されたときに、任意の前記中継用携帯電話機から該未登録の電話番号を発信先として前記携帯電話網に発信させる未登録番号発信手段と、
前記未登録番号発信手段が前記中継用携帯電話機に発信させた結果前記事業者特定手段で特定された携帯電話事業者の情報に基づいて、該未登録の電話番号の割り当てられた携帯電話機と同じ携帯電話事業者に契約されている前記中継用携帯電話機を該未登録の電話番号に関連付けて前記データテーブルに登録する登録手段と、
を備えることを特徴とする請求項１に記載の交換機。
【請求項５】
配下の電話機の呼制御を行う交換機と、
前記交換機に接続され、該交換機の配下の電話機と携帯電話網との間の通信を中継する複数の中継用携帯電話機とを備える電話システムであって、
前記携帯電話網に発信するための電話番号に前記中継用携帯電話機のいずれかが関連付けられて登録されるデータテーブルを記憶する記憶部と、
前記交換機の配下の電話機から前記電話番号が入力されたときに、該電話番号に関連付けられて前記データテーブルに登録されている前記中継用携帯電話機を選択し、該選択した中継用携帯電話機から該電話番号を発信先として前記携帯電話網に対して発信させる中継端末選択手段と、
を備えることを特徴とする電話システム。
【請求項６】
前記電話番号に関連付けられて前記データテーブルに登録されている前記中継用携帯電話機と該電話番号が割り当てられた携帯電話機とは、契約している携帯電話事業者が同じであることを特徴とする請求項５に記載の電話システム。
【請求項７】
携帯電話網に対する発信の結果得られる応答音から発信先の携帯電話機の契約している携帯電話事業者を特定する事業者特定手段と、
前記中継端末選択手段が前記中継用携帯電話機に発信させた結果前記事業者特定手段で特定された携帯電話事業者の情報に基づいて前記データテーブルを更新するデータテーブル更新手段と、
を備える請求項６に記載の電話システム。
【請求項８】
携帯電話網に対する発信の結果得られる応答音から発信先の携帯電話機の契約している携帯電話事業者を特定する事業者特定手段と、
前記交換機の配下の電話機から前記データテーブルに未登録の電話番号が入力されたときに、任意の前記中継用携帯電話機から該未登録の電話番号を発信先として前記携帯電話網に発信させる未登録番号発信手段と、
前記未登録番号発信手段が前記中継用携帯電話機に発信させた結果前記事業者特定手段で特定された携帯電話事業者の情報に基づいて、該未登録の電話番号の割り当てられた携帯電話機と同じ携帯電話事業者に契約されている前記中継用携帯電話機を該未登録の電話番号に関連付けて前記データテーブルに登録する登録手段と、
を備えることを特徴とする請求項５に記載の電話システム。
【請求項９】
配下の電話機の呼制御を行う交換機と、
前記交換機に接続され、該交換機の配下の電話機と携帯電話網との間の通信を中継する複数の中継用携帯電話機とを備える電話システムにおいて、
前記携帯電話網に発信するための電話番号に前記中継用携帯電話機のいずれかが関連付けられて登録されるデータテーブルを記憶する記憶処理と、
前記交換機の配下の電話機から前記電話番号が入力されたときに、該電話番号に関連付けられて前記データテーブルに登録されている前記中継用携帯電話機を選択し、該選択した中継用携帯電話機から該電話番号を発信先として前記携帯電話網に対して発信させる中継端末選択処理と、
を実施することを特徴とする中継通信方法。
【請求項１０】
前記電話番号に関連付けられて前記データテーブルに登録されている前記中継用携帯電話機と該電話番号が割り当てられた携帯電話機とは、契約している携帯電話事業者が同じであることを特徴とする請求項９に記載の中継通信方法。
【請求項１１】
携帯電話網に対する発信の結果得られる応答音から発信先の携帯電話機の契約している携帯電話事業者を特定する事業者特定処理と、
前記中継端末選択処理で前記中継用携帯電話機に発信させた結果前記事業者特定処理で特定された携帯電話事業者の情報に基づいて前記データテーブルを更新するデータテーブル更新処理と、
を含むことを特徴とする請求項１０に記載の中継通信方法。
【請求項１２】
携帯電話網に対する発信の結果得られる応答音から発信先の携帯電話機の契約している携帯電話事業者を特定する事業者特定処理と、
前記交換機の配下の電話機から前記データテーブルに未登録の電話番号が入力されたときに、任意の前記中継用携帯電話機から該未登録の電話番号を発信先として前記携帯電話網に発信させる未登録番号発信処理と、
前記未登録番号発信処理で前記中継用携帯電話機に発信させた結果前記事業者特定処理で特定された携帯電話事業者の情報に基づいて、該未登録の電話番号の割り当てられた携帯電話機と同じ携帯電話事業者に契約されている前記中継用携帯電話機を該未登録の電話番号に関連付けて前記データテーブルに登録する登録処理と、
を含むことを特徴とする請求項９に記載の中継通信方法。
【発明の詳細な説明】
【技術分野】
【０００１】
本発明は、交換機、電話システム及び中継通信方法に関する。
【背景技術】
【０００２】
携帯電話の普及に伴い、ＰＢＸ（Private Branch Exchange）に携帯電話機を組込むシステムが提案されている（例えば特許文献１参照）。
【特許文献１】特開２００３−３４８６２８号公報
【０００３】
特許文献１は、ＰＢＸに接続された接続装置を介してＰＢＸと携帯電話機とを接続し、携帯電話機が着信するとＰＢＸ配下にある内線電話機を着信させ、ＰＢＸの配下の複数の内線電話から所望の携帯電話機を介して携帯電話網に接続するシステムを提案している。
【発明の開示】
【発明が解決しようとする課題】
【０００４】
特許文献１によれば、ＰＢＸ（Private Branch Exchange）に携帯電話機を組込んだ電話システムを構築できる。しかしながら、通話料金を低減することはできなかった。例えば、現在の携帯電話事業会社の多くは、同じ携帯電話事業会社に契約している携帯電話に通話すると通信費が無料になるサービスを展開している。このようなサービスを有効に利用することで、通話料金を低減できることが望ましい。
【０００５】
本発明は、通話料金を抑制できる電話システム及び中継通信方法を実現することを目的とする。
【課題を解決するための手段】
【０００６】
上記目的を達成するために、本発明の第１の観点に係る交換機は、
配下の電話機の呼制御を行う制御部を備えると共に、前記配下の電話機と携帯電話網との間の通信を中継する複数の中継用携帯電話機が接続される交換機であって、
前記携帯電話網に発信するための電話番号に前記中継用携帯電話機のいずれかが関連付けられて登録されるデータテーブルを記憶する記憶部と、
前記交換機の配下の電話機から前記電話番号が入力されたときに、該電話番号に関連付けられて前記データテーブルに登録されている前記中継用携帯電話機を選択し、該選択した中継用携帯電話機から該電話番号を発信先として前記携帯電話網に対して発信させる中継端末選択手段と、
を備えることを特徴とする。
【０００７】
尚、前記電話番号に関連付けられて前記データテーブルに登録されている前記中継用携帯電話機と該電話番号が割り当てられた携帯電話機とは、契約している携帯電話事業者が同じであってもよい。
【０００８】
この場合、携帯電話網に対する発信の結果得られる応答音から発信先の携帯電話機の契約している携帯電話事業者を特定する事業者特定手段と、
前記中継端末選択手段が前記中継用携帯電話機に発信させた結果前記事業者特定手段で特定された携帯電話事業者の情報に基づいて前記データテーブルを更新するデータテーブル更新手段と、
を備えてもよい。
【０００９】
或は、携帯電話網に対する発信の結果得られる応答音から発信先の携帯電話機の契約している携帯電話事業者を特定する事業者特定手段と、
前記交換機の配下の電話機から前記データテーブルに未登録の電話番号が入力されたときに、任意の前記中継用携帯電話機から該未登録の電話番号を発信先として前記携帯電話網に発信させる未登録番号発信手段と、
前記未登録番号発信手段が前記中継用携帯電話機に発信させた結果前記事業者特定手段で特定された携帯電話事業者の情報に基づいて、該未登録の電話番号の割り当てられた携帯電話機と同じ携帯電話事業者に契約されている前記中継用携帯電話機を該未登録の電話番号に関連付けて前記データテーブルに登録する登録手段と、
を備えてもよい。
【００１０】
上記目的を達成するために、本発明の第２の観点に係る電話システムは、
配下の電話機の呼制御を行う交換機と、
前記交換機に接続され、該交換機の配下の電話機と携帯電話網との間の通信を中継する複数の中継用携帯電話機とを備える電話システムであって、
前記携帯電話網に発信するための電話番号に前記中継用携帯電話機のいずれかが関連付けられて登録されるデータテーブルを記憶する記憶部と、
前記交換機の配下の電話機から前記電話番号が入力されたときに、該電話番号に関連付けられて前記データテーブルに登録されている前記中継用携帯電話機を選択し、該選択した中継用携帯電話機から該電話番号を発信先として前記携帯電話網に対して発信させる中継端末選択手段と、
を備えることを特徴とする。
【００１１】
尚、前記電話番号に関連付けられて前記データテーブルに登録されている前記中継用携帯電話機と該電話番号が割り当てられた携帯電話機とは、契約している携帯電話事業者が同じであってもよい。
【００１２】
この場合、携帯電話網に対する発信の結果得られる応答音から発信先の携帯電話機の契約している携帯電話事業者を特定する事業者特定手段と、
前記中継端末選択手段が前記中継用携帯電話機に発信させた結果前記事業者特定手段で特定された携帯電話事業者の情報に基づいて前記データテーブルを更新するデータテーブル更新手段と、
を備えてもよい。
【００１３】
或は、携帯電話網に対する発信の結果得られる応答音から発信先の携帯電話機の契約している携帯電話事業者を特定する事業者特定手段と、
前記交換機の配下の電話機から前記データテーブルに未登録の電話番号が入力されたときに、任意の前記中継用携帯電話機から該未登録の電話番号を発信先として前記携帯電話網に発信させる未登録番号発信手段と、
前記未登録番号発信手段が前記中継用携帯電話機に発信させた結果前記事業者特定手段で特定された携帯電話事業者の情報に基づいて、該未登録の電話番号の割り当てられた携帯電話機と同じ携帯電話事業者に契約されている前記中継用携帯電話機を該未登録の電話番号に関連付けて前記データテーブルに登録する登録手段と、
を備えてもよい。
【００１４】
上記目的を達成するために、本発明の第３の観点に係る中継通信方法は、
配下の電話機の呼制御を行う交換機と、
前記交換機に接続され、該交換機の配下の電話機と携帯電話網との間の通信を中継する複数の中継用携帯電話機とを備える電話システムにおいて、
前記携帯電話網に発信するための電話番号に前記中継用携帯電話機のいずれかが関連付けられて登録されるデータテーブルを記憶する記憶処理と、
前記交換機の配下の電話機から前記電話番号が入力されたときに、該電話番号に関連付けられて前記データテーブルに登録されている前記中継用携帯電話機を選択し、該選択した中継用携帯電話機から該電話番号を発信先として前記携帯電話網に対して発信させる中継端末選択処理と、
を実施することを特徴とする。
【００１５】
尚、前記電話番号に関連付けられて前記データテーブルに登録されている前記中継用携帯電話機と該電話番号が割り当てられた携帯電話機とは、契約している携帯電話事業者が同じであってもよい。
【００１６】
また、携帯電話網に対する発信の結果得られる応答音から発信先の携帯電話機の契約している携帯電話事業者を特定する事業者特定処理と、
前記中継端末選択処理で前記中継用携帯電話機に発信させた結果前記事業者特定処理で特定された携帯電話事業者の情報に基づいて前記データテーブルを更新するデータテーブル更新処理と、
を含んでもよい。
【００１７】
或は、携帯電話網に対する発信の結果得られる応答音から発信先の携帯電話機の契約している携帯電話事業者を特定する事業者特定処理と、
前記交換機の配下の電話機から前記データテーブルに未登録の電話番号が入力されたときに、任意の前記中継用携帯電話機から該未登録の電話番号を発信先として前記携帯電話網に発信させる未登録番号発信処理と、
前記未登録番号発信処理で前記中継用携帯電話機に発信させた結果前記事業者特定処理で特定された携帯電話事業者の情報に基づいて、該未登録の電話番号の割り当てられた携帯電話機と同じ携帯電話事業者に契約されている前記中継用携帯電話機を該未登録の電話番号に関連付けて前記データテーブルに登録する登録処理と、
を含んでもよい。
【発明の効果】
【００１８】
本発明によれば、本携帯電話機を取り込んだ電話システムの通話料金を抑制できる。
【発明を実施するための最良の形態】
【００１９】
以下、図面に基づき、本発明の実施の形態について詳細に説明する。
図１は、本発明の実施形態に係る電話システムを示す構成図である。
この電話システムは、交換機としてのＳＩＰサーバ１０を備えている。
【００２０】
ＳＩＰサーバ１０には、１以上の配下のＩＰ電話機（ＩＰ−ＴＥＬ）２０Ａ，２０Ｂ，２０Ｃ，２０Ｄ，２０Ｅが接続されている。ＳＩＰサーバ１０には、さらに、複数の中継用の携帯電話機（以下、携帯端末という）３０Ａ，３０Ｂ，３０Ｃが有線で接続されると共に、複数の中継用のデュアル携帯電話機（以下、デュアル携帯端末という）４０Ａ，４０Ｂ，４０Ｃが無線ＬＡＮで接続されている。
【００２１】
図２は、図１中のＳＩＰサーバ１０を示す構成図である。
ＳＩＰサーバ１０は、ＩＰ電話機２０Ａ〜２０Ｅを配下として管理し、これらのＩＰ電話機２０Ａ〜２０Ｅの呼制御等を行う。ＳＩＰサーバ１０には、ＣＰＵ１１と、ＣＰＵ１１に接続され、データテーブル等を記憶するメモリ１２と、音声信号の変換を行う音声処理回路１３と、デュアル携帯端末４０Ａ〜４０Ｃと無線接続するアクセスポイント１４と、アンテナ１５と、インターフェース回路（Ｉ／Ｆ）１６ａ〜１６ｃと、携帯用コネクタ１７ａ〜１７ｃと、ＬＡＮコネクタ１８と、を備えている。
【００２２】
インターフェース回路（Ｉ／Ｆ）１６ａ及び携帯用コネクタ１７ａを介して、携帯端末３０ＡがＣＰＵ１１及び音声処理回路１３に接続される。同様に、インターフェース回路（Ｉ／Ｆ）１６ｂ及び携帯用コネクタ１７ｂを介して、携帯端末３０ＢがＣＰＵ１１及び音声処理回路１３に接続され、インターフェース回路（Ｉ／Ｆ）１６ｃ及び携帯用コネクタ１７ｃを介して、携帯端末３０ＣがＣＰＵ１１及び音声処理回路１３に接続される。
【００２３】
アクセスポイント１４は、無線ＬＡＮにより、アンテナ１５を介してデュアル携帯端末４０Ａ〜４０Ｃと接続される。ＬＡＮコネクタ１８を介して、ＣＰＵ１１及び音声処理回路１３がＩＰ電話機２０Ａ〜２０Ｅに接続される。
【００２４】
各携帯端末３０Ａ〜３０Ｃ及び各デュアル携帯端末４０Ａ〜４０Ｃは、それぞれ単独の携帯電話機として用いることが可能であるとともに、ＳＩＰサーバ１０に接続された状態では、ＩＰ電話機２０Ａ〜２０Ｅとシステム外の携帯電話との間の中継通信を行う機能を有する。例えば、デュアル携帯端末４０Ａ〜４０Ｃの構成例を図３に示す。
【００２５】
図３は、図１中のＳＩＰサーバ１０に無線ＬＡＮで接続されるデュアル携帯端末４０Ａ，４０Ｂ，４０Ｃの概要を示す構成図である。
各デュアル携帯端末４０Ａ〜４０Ｃは、図示しない携帯電話通信網を利用する携帯電話通信手段としての携帯電話通信部４１と、ＩＰ電話通信網のＬＡＮを利用するアクセスポイント通信手段としてのＷＬＡＮ通信機能部４２と、これら携帯電話通信部４１及びＷＬＡＮ通信機能部４２を制御する制御部４３と、携帯電話通信部４１及びＷＬＡＮ通信機能部４２に接続されたアンテナ４４と、図示しない操作ボタン等を備えている。
【００２６】
各デュアル携帯端末４０Ａ〜４０Ｃは、それぞれ携帯電話網用の電話番号とＬＡＮ用の電話番号とが付与されており、ＬＡＮのエリア内では、ＷＬＡＮ通信機能部４２が作動し、ＬＡＮ用の電話番号で呼制御されるＩＰ電話として動作し、ＬＡＮのエリア外では、携帯電話通信部４１が作動して、携帯電話網用の電話番号で呼制御される携帯電話機として動作する。
【００２７】
各デュアル携帯端末４０Ａ〜４０Ｃは、携帯電話通信部４１或はＷＬＡＮ通信機能部４２のいずれか一方のみが動作可能な通常動作モードと、携帯電話通信４１及びＷＬＡＮ通信機能部４２の両方が連動して動作可能な中継モードとを有する。
【００２８】
システムに所属する各デュアル携帯端末４０Ａ〜４０Ｃには、ＳＩＰサーバ１０に設けられたアクセスポイント１４に付与された識別子（ＩＤ）が記憶されている。デュアル携帯端末４０Ａ〜４０Ｃは、周辺に存在するアクセスポイントから一定周期で送信される信号をＷＬＡＮ通信機能部４２で受信し、その信号に含まれるアクセスポイントのＩＤを抽出する。抽出したＩＤが記憶しているＩＤと一致すると、デュアル携帯端末４０Ａ〜４０Ｃは、通常動作モードから中継モードに切り替わる。
中継モードになると、各デュアル携帯端末４０Ａ〜４０Ｃは、中継機としての役割を果たす。
【００２９】
尚、デュアル携帯端末４０Ａ〜４０Ｃを充電器に装着すると、中継モードに切り替わるようにしてもよい。この場合、ＳＩＰサーバ１０と無線ＬＡＮで接続可能な範囲内に充電器を配置しておけば、その充電器にデュアル携帯端末４０Ａ〜４０Ｃを装着することで、デュアル携帯端末４０Ａ〜４０Ｃを中継モードにすることができる。
また、デュアル携帯端末４０Ａ〜４０Ｃに設けたスイッチによって、中継モードと通常動作モードを切替える構成にしてもよい。
【００３０】
一方、各携帯端末３０Ａ〜３０Ｃは、携帯用コネクタ１７ａ〜１７ｃを介してＳＩＰサーバ１０に接続されたときに中継モードとなり、中継機としての役割を果たす。
【００３１】
携帯端末３０Ａ〜３０Ｃ及びデュアル携帯端末４０Ａ〜４０Ｃは、それぞれ携帯電話網用の電話番号とＬＡＮ用の電話番号とが付与されており、ＳＩＰサーバ１０に接続された状態ではＳＩＰサーバ１０からＬＡＮ用電話番号で呼制御され、システム外の携帯電話網からは携帯電話網用の電話番号で呼制御される。
【００３２】
この電話システムでは、後述のように通話料金の低減する運用を可能にするために、異なった複数の携帯電話事業会社と契約した携帯端末及びデュアル携帯端末を用いる。例えば、携帯端末３０Ａ及びデュアル携帯端末４０Ａは携帯電話事業会社Ａ（事業者Ａ）と契約した端末である。携帯端末３０Ｂ及びデュアル携帯端末４０Ｂは携帯電話事業会社Ｂ（事業者Ｂ）と契約した端末である。携帯端末３０Ｃ及びデュアル携帯端末４０Ｃは携帯電話事業会社Ｃ（事業者Ｃ）と契約した端末である。
【００３３】
また、メモリ１２に記憶されるデータテーブルには、管理下の携帯端末３０Ａ〜３０Ｃ、デュアル携帯端末４０Ａ〜４０Ｃ及び配下のＩＰ電話機２０Ａ〜２０ＥのＬＡＮ用電話番号、各携帯端末３０Ａ〜３０Ｃ及び各デュアル携帯端末４０Ａ〜４０Ｃに関連付けられたＩＰ電話機２０Ａ〜２０Ｅの情報、各携帯端末３０Ａ〜３０或は各デュアル携帯端末４０Ａ〜４０ＣがそれぞれＳＩＰサーバ１０に接続されて通信可能になっているか否かを示す情報、携帯電話事業会社に関連付けられた応答音の情報、及び発信先の携帯電話番号に関連付けられた携帯端末３０Ａ〜３０Ｃ或はデュアル携帯端末４０Ａ〜４０Ｃの情報等が含まれる。
【００３４】
図４は、携帯端末３０Ａ〜３０Ｃ或はデュアル携帯端末４０Ａ〜４０Ｃに関連付けられたＩＰ電話機２０Ａ〜２０Ｅの情報の説明図である。
ここで、携帯端末３０Ａ〜３０Ｃ或はデュアル携帯端末４０Ａ〜４０Ｃに関連付けられたＩＰ電話機２０Ａ〜２０Ｅの情報とは、各携帯端末３０Ａ〜３０Ｃ，或は各デュアル携帯端末４０Ａ〜４０Ｃに着信があったときに、鳴動させるＩＰ電話を示すもので、データテーブルでは、図４のように、各携帯端末３０Ａ〜３０Ｃ或は各デュアル携帯端末４０Ａ〜４０Ｃに対応させてＩＰ電話２０Ａ〜２０ＥのＬＡＮ用電話番号を記憶する。
【００３５】
携帯電話事業会社別の応答音とは、発信先の携帯電話機に発信した場合に発信先の携帯電話機の基地局から送信される発信応答音を示すものである。この発信応答音は、携帯電話事業会社毎に異なるので、携帯電話事業会社毎に発信応答音のデータをデータテーブルに記憶する。
【００３６】
発信先の携帯電話番号に関連付けられた携帯端末３０Ａ〜３０Ｃ或はデュアル携帯端末４０Ａ〜４０Ｃの情報とは、発信先の携帯電話番号毎に、どの携帯端末３０Ａ〜３０Ｃ或はデュアル携帯端末４０Ａ〜４０Ｃで発信するかを指定する情報であり、図５のように、発信先の携帯電話番号に関連付けて、発信する携帯端末３０Ａ〜３０Ｃ或はデュアル携帯端末４０Ａ〜４０Ｃを記憶する。
【００３７】
次に、図１の電話システムの動作を説明する。
図６は、発信時のシーケンスを示す図である。
図７及び図８は、発信時のＳＩＰサーバ１０の処理を示すフローチャートである。
【００３８】
システム外の携帯電話機に発信する場合、ＩＰ電話機２０Ａ〜２０Ｅのいずれかを用いて、発信先の携帯電話機の電話番号を入力する。発信先の携帯電話機の電話番号は、ＳＩＰサーバ１０に送られる。
【００３９】
ＳＩＰサーバ１０は、発信先の携帯電話機の電話番号を検出し（ステップＳ１）、その電話番号が対応する携帯端末３０Ａ〜３０Ｃ或はデュアル携帯端末４０Ａ〜４０Ｃと共にデータテーブルに登録されているか否かを判断する（ステップＳ２）。発信先の携帯電話機の電話番号が対応する携帯端末３０Ａ〜３０Ｃ或はデュアル携帯端末４０Ａ〜４０Ｃがデータテーブルに登録されていない場合（ステップＳ２：ＮＯ）、発信先の携帯電話機の電話番号に初めて発信することになるので、予め指定した例えばデュアル携帯端末４０Ｃを発信要求を出して起動させ、デュアル携帯端末４０Ｃに携帯電話網に対する無線リンクを確立させ、携帯電話網に発信先の携帯電話機の電話番号を送信させる。（ステップＳ３）。
【００４０】
携帯電話網に接続された携帯基地局は、発信先の携帯電話機の電話番号を受信し、発信応答音をデュアル携帯端末４０Ｃに送信する。発信応答音は、呼び出し音とは別に基地局が発生する音に相当する信号であり、発信先の携帯電話機の契約されている携帯電話事業会社固有のものである。デュアル携帯端末４０Ｃは、発信応答音を示す信号をＳＩＰサーバ１０に与えると共に、接続要求を携帯基地局に送る。
【００４１】
ＳＩＰサーバ１０のＣＰＵ１１は、発信応答音を示す信号を検出し（ステップＳ４）、メモリ１２のデータテーブルに記憶されている発信応答音を示すデータとデュアル携帯端末４０Ｃから与えられた発信応答音を示す信号とを比較し、発信先の携帯電話機の契約されている携帯電話事業会社を特定する（ステップＳ５）。ＣＰＵ１１は、発信先の携帯電話機の契約されている携帯電話事業会社と同じ携帯電話事業会社と契約されている携帯端末３０Ａ〜３０Ｃまたはデュアル携帯端末４０Ａ〜４０Ｃを、発信先の携帯電話機の電話番号に関連付けしてデータテーブルに登録する（ステップＳ６）。
【００４２】
デュアル携帯端末４０Ｃから、接続要求を受けた基地局は、発信先の携帯電話機を呼び出す。発信先の携帯電話機が受話動作して応答した場合、応答が携帯基地局、デュアル携帯端末３０Ｃ、ＳＩＰサーバ１０を介して発信先の携帯電話機の電話番号を入力したＩＰ電話機２０Ａ〜２０Ｅに伝えられ、通話が可能になる（ステップＳ７）。
【００４３】
一方、発信先の携帯電話機の電話番号に関連付けられてデータテーブルに記憶された携帯端末３０Ａ〜３０Ｃ或はデュアル携帯端末４０Ａ〜４０Ｃがある場合（ステップＳ２：ＹＥＳ）、その発信先の携帯電話機の電話番号に関連付けられて記憶されている携帯端末またはデュアル携帯端末を選択し、発信要求を出して起動させ、選択した携帯端末またはデュアル携帯端末に携帯電話網に対する無線リンクを確立させ、携帯電話網に発信先の携帯電話機の電話番号を送信させる。（ステップＳ８）。以下、この選択した携帯端末またはデュアル携帯端末を選択端末Ｎとして説明を続ける。
【００４４】
携帯電話網に接続された携帯基地局は、発信先の携帯電話機の電話番号を受信し、発信応答音を選択端末Ｎに送信する。選択端末Ｎは、発信応答音を示す信号をＳＩＰサーバ１０に与えると共に、接続要求を携帯基地局に送る。
【００４５】
ＳＩＰサーバ１０のＣＰＵ１１は、発信応答音を示す信号を検出し（ステップＳ９）、メモリ１２のデータテーブルに記憶されている発信応答音を示すデータと選択端末Ｎから与えられた発信応答音を示す信号とを比較し、発信先の携帯電話機の契約されている携帯電話事業会社を特定する（ステップＳ１０）。
【００４６】
ＣＰＵ１１は、ステップＳ９で特定された携帯電話事業会社と、選択端末Ｎを契約している携帯電話事業会社と等しいか否かを確認し、等しくない場合には（ステップＳ１１：ＮＯ）、発信先の携帯電話機の契約している携帯電話事業会社を、ステップＳ９で特定された携帯で携帯電話事業会社と同じ携帯電話事業会社と契約されている携帯端末３０Ａ〜３０Ｃ或はデュアル携帯端末４０Ａ〜４０Ｃを、発信先の携帯電話機の電話番号に関連付けしてデータテーブルに登録する。即ち、データテーブルの更新を行う（ステップＳ１２）。
【００４７】
ステップＳ１０で特定された携帯電話事業会社と、選択端末Ｎを契約している携帯電話事業会社と等しい場合には（ステップＳ１１：ＹＥＳ）、データテーブルの更新は、行わない。
【００４８】
選択端末Ｎから、接続要求を受けた基地局は、発信先の携帯電話機を呼び出す。発信先の携帯電話機が受話動作して応答した場合、応答が携帯基地局、選択端末Ｎ及びＳＩＰサーバ１０を介して発信先の携帯電話機の電話番号を入力したＩＰ電話機２０Ａ〜２０Ｅに伝えられ、通話が可能になる（ステップＳ１３）。以上が発信動作となる。
【００４９】
これに対し、システム外の電話機から携帯電話通信網を介して携帯端末３０Ａ〜３０Ｃ或はデュアル携帯端末４０Ａ〜４０Ｃのいずれかの電話番号を発呼すると、その電話番号を持つ携帯端末３０Ａ〜３０Ｃ或はデュアル携帯端末４０Ａ〜４０Ｃのいずれかが着信する。そして、着信があった旨がＳＩＰサーバ１０に伝わり、ＳＩＰサーバ１０は、データテーブルに基づき、着信のあった携帯端末３０Ａ〜３０Ｃ或はデュアル携帯端末４０Ａ〜４０Ｃに対応するＩＰ電話機２０Ａ〜２０Ｅを選択して呼び出す。
【００５０】
携帯端末３０Ａ〜３０Ｃ或はデュアル携帯端末４０Ａ〜４０Ｃに関連付けて、例えば図４のように、ＩＰ電話機２０Ａ〜２０Ｅが記憶されている場合、携帯端末３０Ａに着信があると、携帯端末３０Ａ及び５機のＩＰ電話機２０Ａ〜２０Ｅが鳴動する。携帯端末３０Ｂに着信があると、携帯端末３０Ｂ及び４機のＩＰ電話機２０Ｂ〜２０Ｅが鳴動する。携帯端末３０Ｃに着信があると、携帯端末３０Ｃ及びＩＰ電話機２０Ｃが鳴動する。デュアル携帯端末４０Ａに着信があると、デュアル携帯端末４０Ａ及びＩＰ電話機２０Ｄが鳴動する。デュアル携帯端末４０Ｂに着信があると、デュアル携帯端末４０Ａ及びＩＰ電話機２０Ｅが鳴動する。デュアル携帯端末４０Ｃに着信があると、デュアル携帯端末４０Ｃ及びＩＰ電話機２０Ｂが鳴動する。
鳴動した携帯端末、デュアル携帯端末或はＩＰ電話機で応答すると、システム外の電話機との通話が可能になる。
【００５１】
以上のように、本実施形態では、発信先となるシステム外の携帯電話機の電話番号と携帯端末３０Ａ〜３０Ｃ或はデュアル携帯端末４０Ａ〜４０Ｃとを関連付けてデータテーブルに登録しておき、システム外の発信先の携帯電話機の電話番号が入力されると、データテーブルにしたがって、その電話番号に関連付けられる携帯端末３０Ａ〜３０Ｃ或はデュアル携帯端末４０Ａ〜４０Ｃが選択されて、選択された携帯端末３０Ａ〜３０Ｃ或はデュアル携帯端末４０Ａ〜４０から発信されるようになっている。このように電話番号に関連付けて選択される携帯端末３０Ａ〜３０Ｃ或はデュアル携帯端末４０Ａ〜４０を適切にすると、通信コストの低減が可能になる。
【００５２】
例えば、現在、多くの携帯電話事業会社では、同じ携帯電話事業会社に契約している携帯電話に通話すると通信費が無料になるサービスを展開している。よって、発信先となるシステム外の携帯電話機の電話番号に、その携帯電話機の契約している携帯電話事業会社と同じ携帯電話事業会社に契約しているデュアル携帯端末が選択されるようにすると、通信費が無料になるサービスを受けることができる。
【００５３】
尚、本発明は、上記実施形態に限定されず、種々の変形が可能である。
例えば、ＩＰ電話機２０Ａ〜２０Ｅから入力される発信先の電話番号が、新規の場合、予め指定したデュアル携帯端末４０Ｃを選択したが、任意の携帯端末３０Ａ〜３０Ｃ或はデュアル携帯端末４０Ａ〜４０Ｃを選択してもよい。
【００５４】
また、データテーブルに未登録の電話番号でも、その電話番号が割り当てられている携帯電話機の契約している携帯電話事業会社が事前に分る場合には、コンピュータ等でＳＩＰサーバ１０に入力し、電話番号に携帯端末３０Ａ〜３０Ｃ或はデュアル携帯端末４０Ａ〜４０Ｃのいずれかを関連付けてデータテーブルに登録してもよい。
【図面の簡単な説明】
【００５５】
【図１】本発明の実施形態に係る電話システムを示す構成図である。
【図２】図１中のＳＩＰサーバを示す構成図である。
【図３】図１中のデュアル携帯端末４０Ａ〜４０Ｃの概要を示す構成図である。
【図４】各携帯端末或はデュアル携帯端末に対応するＩＰ電話を示す説明図である。
【図５】発信先の携帯電話番号に関連付けられたデュアル携帯端末の説明図である。
【図６】発信時のシーケンスを示す図である。
【図７】発信時のＳＩＰサーバの処理を示すフローチャートである。
【図８】発信時のＳＩＰサーバの処理を示すフローチャートである。
【符号の説明】
【００５６】
１０      ＳＩＰサーバ
１１      ＣＰＵ
１２      メモリ
１３      音声処理回路
１４      アクセスポイント
１５      アンテナ
２０Ａ〜２０Ｅ      ＩＰ電話機
３０Ａ〜３０Ｃ      携帯端末
４０Ａ〜４０Ｃ    デュアル携帯端末
４１      携帯電話通信部
４２      ＷＬＡＮ通信機能部
４３      制御部
５７      アンテナ
【図１】
2010041149.tif 000003
【図２】
2010041149.tif 000004
【図３】
2010041149.tif 000005
【図４】
2010041149.tif 000006
【図５】
2010041149.tif 000007
【図６】
2010041149.tif 000008
【図７】
2010041149.tif 000009
【図８】
2010041149.tif 000010